(57)【要約】【課題】まつげエクステンション施術者の作業負担や作業時間を軽減して、施術の効率化と良好な施術品質の達成を併せて可能とする。【解決手段】まつげエクステンション施術器１００を、瞼におけるまつげ１０の発毛箇所直下に密着する円弧状の端部１０１を有した板状部材１０２と、板状部材１０２の表面１０５において、まつげ１０を受け入れ可能な上部開口１０７と、当該上部開口１０７からまつげ１０を収容してなお断面に余裕空間１０８が生じる内空１０９とを有し、少なくともエクステンション後のまつげ長以上の長さで端部１０１から伸びる複数の溝構造１０６とから構成する。【選択図】図１
2014122442.tif 000002
【特許請求の範囲】
【請求項１】
瞼におけるまつげ発毛箇所直下に密着する円弧状の端部を有した板状部材と、
前記板状部材の表面において、まつげを受け入れ可能な上部開口と、当該上部開口からまつげを収容してなお断面に余裕空間が生じる内空とを有し、少なくともエクステンション後のまつげ長以上の長さで前記端部から伸びる複数の溝構造と、
を備えることを特徴とする、まつげエクステンション施術器。
【請求項２】
前記板状部材は、前記端部から、前記表面と対をなす裏面の側に所定長延長された、スカート状部材を備えることを特徴とする請求項１に記載のまつげエクステンション施術器。
【請求項３】
少なくとも前記溝構造の表面が、人工まつげを形成する樹脂組成物に対する剥離性を備えたものであることを特徴とする請求項２に記載のまつげエクステンション施術器。
【請求項４】
前記板状部材は、前記溝構造が設けられた表面を、まつげ発毛箇所直下に密着させた前記端部を基点に、まつげ発毛方向に沿う角度で施術対象者の顔面から離間させる、所定高さの支持部材を備えることを特徴とする請求項３に記載のまつげエクステンション施術器。
【請求項５】
瞼におけるまつげ発毛箇所直近に密着する円弧状の端部を有した板状部材と、前記板状部材の表面において、まつげを受け入れ可能な上部開口と、当該上部開口からまつげを収容してなお断面に余裕空間が生じる内空とを有し、少なくともエクステンション後のまつげ長以上の長さで前記端部から伸びる複数の溝構造とを備えるまつげエクステンション施術器を用いた施術方法であって、
前記板状部材における円弧状の端部を、施術対象者の瞼におけるまつげ発毛箇所直下に密着させる工程と、
前記溝構造の内空に、人工まつげ形成用の液状ないしゲル状の樹脂組成物を注入する工程と、
まつげ発毛箇所直下に端部を密着させた前記板状部材において、前記溝構造の上部開口にまつげをなでつけることで溝構造の内空にまつげを導入する工程と、
所定時間経過後に前記内空にて固化した樹脂組成物により内包され、前記溝構造の長さまで延長された前記まつげを、固化して一体となった樹脂組成物と共に溝構造の内空から取り出す工程と、
を含むことを特徴とする、まつげエクステンション施術方法。
【発明の詳細な説明】
【技術分野】
【０００１】
本発明は、まつげエクステンション施術器およびまつげエクステンション施術方法に関するものであり、具体的には、まつげエクステンション施術者の作業負担や作業時間を軽減して、施術の効率化と良好な施術品質の達成を併せて可能とする技術に関する。
【背景技術】
【０００２】
美を追求するニーズには様々なものがあり、対人印象を左右しやすい目元に関する美容、或いはファッションのニーズは特に根強いものがある。こうした目元を印象的に演出し、魅力的なものとするアイテムとして、つけまつげ即ち、エクステンション用の人工まつげが従来から用いられている。こうした、まつげのエクステンションに関する技術として、例えば、まつげの長さを延長する人工まつげであって、人工まつげ本体部と、人工まつげ本体部とまつげとを連結する環状部材とを備え、環状部材が収縮性材料から構成されている人工まつげ（特許文献１参照）などが提案されている。
【０００３】
また、使用者のまつげの一部を包むためのくぼみ部分を有するエクステンション用人工まつげ（特許文献２参照）や、まつげ１本をすっぽり覆い被せることができる袋状を特徴とするまつげエクステンション用人工まつげ（特許文献３参照）なども提案されている。
【先行技術文献】
【特許文献】
【０００４】
【特許文献１】特開２０１２−９２４９１号公報
【特許文献２】特開２０１０−２４５７９号公報
【特許文献２】特開２００８−２８５８０２号公報
【発明の概要】
【発明が解決しようとする課題】
【０００５】
従来より、まつげエクステンションの施術には、相当な時間にわたる煩雑で細かな手元作業と施術者の根気が必要とされており、それ故に、施術のしやすさや、本来のまつげとの接着性、一体性といった面に考慮したエクステンション用人工まつげに関する技術は提案されてきた。しかしながら、施術時における施術者の過大な作業負担や作業時間の発生といった問題点を根本的に解決する技術は提案されていない。また、様々な工夫がなされてはいるもの、エクステンション用人工まつげと本来のまつげとの一体性は確実なものではなく、外力や水分等の作用で両者は比較的容易に分離し、エクステンションの用途が短期間に終焉してしまう事態となっていた。
【０００６】
そこ本発明は、上記のような課題に鑑みなされたものであって、まつげエクステンション施術者の作業負担や作業時間を軽減して、施術の効率化と良好な施術品質の達成を併せて可能とする技術を提供することを目的とする。
【課題を解決するための手段】
【０００７】
上記課題を解決する本発明のまつげエクステンション施術器は、瞼におけるまつげ発毛箇所直下に密着する円弧状の端部を有した板状部材と、前記板状部材の表面において、まつげを受け入れ可能な上部開口と、当該上部開口からまつげを収容してなお断面に余裕空間が生じる内空とを有し、少なくともエクステンション後のまつげ長以上の長さで前記端部から伸びる複数の溝構造と、を備えることを特徴とする。
【０００８】
このまつげエクステンション施術器を用いれば、板状部材における円弧状の端部を、施術対象者の瞼におけるまつげ発毛箇所直下に密着させた上で、上部開口を介して溝構造の内空にまつげを導入することで、内空に注入済みの樹脂組成物とまつげを一体化させ適宜延長すなわちエクステンションすることが出来る。つまり、上述の溝構造の内空において、樹脂組成物がまつげを内包しつつ一体に固化し、ひいては人工まつげの形成とまつげエクステンションとが同時実行されることになる。しかも、施術者に必要となる主たる作業は、溝構造の内空にまつげを導入するシンプルな作業のみとなり、作業効率は従来より大きく向上する。従って、従来のエクステンション施術の如く、相当な時間をかけ、まつげ一本ずつに人工まつげを接着するという煩雑で細かな手元作業は不要となり、まつげエクステンション施術者の作業負担や作業時間を軽減して、施術の効率化を図る事が出来る。また、上述したように、溝構造の内空において、樹脂組成物がまつげを内包しつつ一体に固化し、人工まつげの形成とまつげエクステンションとが同時実行されることになるため、樹脂組成物で構成されたエクステンション部分と、本来のまつげとが強固に一体化し、良好な施術品質を達成出来る。
【０００９】
なお、上述のまつげエクステンション施術器において、前記板状部材は、前記端部から、前記表面と対をなす裏面の側に所定長延長された、スカート状部材を備えるとすれば好適である。施術対象者の上瞼のまつげ発毛箇所直下にあたる上瞼の下端付近に、板状部材における円弧状の端部を密着させ、エクステンション施術を行うとして、この場合、溝構造の内空の樹脂組成物が、板状部材における円弧状の端部から漏出する事態が生じるとしても、漏出物が眼球等に付着することを防ぐことが出来る。すなわち、上述のスカート状部材が上述の端部と瞼との間を確実に間詰めしつつ、上瞼の下端付近から下瞼の下方にかけて覆っているため、端部から漏出した樹脂組成物は眼球とその周囲へ流下出来ない。
【００１０】
また、上述のまつげエクステンション施術器において、少なくとも前記溝構造の表面が、人工まつげを形成する樹脂組成物に対する剥離性を備えたものであるとすれば好適である。これによれば、溝構造の内空にて一体となった樹脂組成物とまつげを、無理な力を加えずともスムーズに内空から取り出せる。
【００１１】
また、上述のまつげエクステンション施術器において、前記板状部材は、前記溝構造が設けられた表面を、まつげ発毛箇所直下に密着させた前記端部を基点に、まつげ発毛方向に沿う角度で施術対象者の顔面から離間させる、所定高さの支持部材を備えるとすれば好適である。これによれば、本来のまつげの発毛方向に沿った、無理のないカール形状でまつげエクステンションを施すことが可能であり、また、発毛方向と溝構造の傾斜とがマッチすることから、溝構造の内空へのまつげ導入を無理なく行えることにもつながる。
【００１２】
また、本発明のまつげエクステンション施術方法は、瞼におけるまつげ発毛箇所直近に密着する円弧状の端部を有した板状部材と、前記板状部材の表面において、まつげを受け入れ可能な上部開口と、当該上部開口からまつげを収容してなお断面に余裕空間が生じる内空とを有し、少なくともエクステンション後のまつげ長以上の長さで前記端部から伸びる複数の溝構造とを備えるまつげエクステンション施術器を用いた施術方法であって、前記溝構造の内空に、人工まつげ形成用の液状ないしゲル状の樹脂組成物を注入する工程と、前記板状部材における円弧状の端部を、施術対象者の瞼におけるまつげ発毛箇所直下に密着させる工程と、まつげ発毛箇所直下に端部を密着させた前記板状部材において、前記溝構造の上部開口にまつげをなでつけることで溝構造の内空にまつげを導入する工程と、所定時間経過後に前記内空にて固化した樹脂組成物により内包され、前記溝構造の長さまで延長された前記まつげを、固化して一体となった樹脂組成物と共に溝構造の内空から取り出す工程と、を含むことを特徴とする。
【００１３】
これによれば、板状部材における円弧状の端部を、施術対象者の瞼におけるまつげ発毛箇所直下に密着させた上で、上部開口を介して溝構造の内空にまつげを導入することで、内空に注入済みの樹脂組成物とまつげを一体化させ適宜延長すなわちエクステンションすることが出来る。つまり、上述の溝構造の内空において、樹脂組成物がまつげを内包しつつ一体に固化し、ひいては人工まつげの形成とまつげエクステンションとが同時実行されることになる。しかも、施術者に必要となる主たる作業は、溝構造の内空にまつげを導入するシンプルな作業のみとなり、作業効率は従来よりも大きく向上する。従って、従来のエクステンション施術の如く、相当な時間をかけ、まつげ一本ずつに人工まつげを接着するという煩雑で細かな手元作業は不要となり、まつげエクステンション施術者の作業負担や作業時間を軽減して、施術の効率化を図る事が出来る。また、上述したように、溝構造の内空において、樹脂組成物がまつげを内包しつつ一体に固化し、人工まつげの形成とまつげエクステンションとが同時実行されることになるため、樹脂組成物で構成されたエクステンション部分と、本来のまつげとが強固に一体化し、良好な施術品質を達成出来る。
【発明の効果】
【００１４】
本発明によれば、まつげエクステンション施術者の作業負担や作業時間を軽減して、施術の効率化と良好な施術品質を併せて達成可能となる。
【図面の簡単な説明】
【００１５】
【図１】本実施形態におけるまつげエクステンション施術器を示す斜視図である。
【図２】本実施形態におけるまつげエクステンション施術器を示す上面図である。
【図３Ａ】本実施形態におけるまつげエクステンション施術器を示す側面図である。
【図３Ｂ】本実施形態におけるまつげエクステンション施術器の変形例を示す側面図である。
【図４】本実施形態におけるまつげエクステンション施術器を示す正面図である。
【図５】本実施形態のまつげエクステンション施術方法を示すフロー図である。
【図６】本実施形態のまつげエクステンション施術方法の適用状況１を示す概念図である。
【図７Ａ】本実施形態のまつげエクステンション施術方法の適用状況２を示す概念図である。
【図７Ｂ】本実施形態のまつげエクステンション施術方法の適用状況２を示す側面図である。
【図８】本実施形態のまつげエクステンション施術方法の適用状況３を示す概念図である。
【図９Ａ】本実施形態のまつげエクステンション施術方法の適用状況４を示す概念図である。
【図９Ｂ】本実施形態のまつげエクステンション施術方法の適用状況４（下まつげ施術時）を示す側面図である。
【図９Ｃ】本実施形態のまつげエクステンション施術方法の適用状況４（上まつげ施術時）を示す側面図である。
【発明を実施するための形態】
【００１６】
以下に本発明の実施形態について図面を用いて詳細に説明する。図１は、本実施形態のまつげエクステンション施術器１００を示す斜視図、図２は同じく上面図、図３Ａは同じく側面図、図４は同じく正面図である。各図に示すまつげエクステンション施術器１００は、まつげエクステンション施術者の作業負担や作業時間を軽減して、施術の効率化と良好な施術品質の達成を併せて可能とする器具である。
【００１７】
本実施形態におけるまつげエクステンション施術器１００は、施術対象者の瞼におけるまつげ発毛箇所直下に密着する円弧状の端部１０１を有した板状部材１０２と、この板状部材１０２の各側端１０３から下方に連続し、板状部材１０２を支持する支持部材１０４とにより主構造をなしている。
【００１８】
このうち板状部材１０２における端部１０１の円弧状の形状は、まつげエクステンションの施術対象者の瞼が持つ膨らみ形状に完全フィットするものが最適である。従って、施術前に施術対象者の瞼が持つ膨らみ形状を測定し、この測定結果に応じて端部１０１の形状を調整するとすれば良い。
【００１９】
また、そうした施術対象者個別に、いわばオーダーメイドでエクステンション施術器１００を用意しない場合、人間の瞼が持つ膨らみ形状について、様々な人物について予め型取りし、この型取り結果に応じた形状の端部１０１を備えたエクステンション施術器１００を、種々の端部形状のパターン別に用意するものとする。
【００２０】
上述した板状部材１０２の表面１０５には、端部１０１から伸びる複数の溝構造１０６が備わっている。この溝構造１０６は、図４でも示すように、まつげ１０を受け入れ可能な上部開口１０７と、この上部開口１０７からまつげ１０を収容してなお断面に余裕空間１０８が生じる内空１０９とを有している。また、溝構造１０６は、少なくともエクステンション後のまつげ長以上の長さＬ（図１、図３を参照）で端部１０１から伸びている。内空１０９の断面形状は、図４で示すような上方が開口した略円形が想定できるが、それ以外にも、一部が開口した、三角形、矩形、多角形、星形など、施術対象者のニーズ等に応じて様々な形状を採用できる。また、上部開口１０７の開口幅は、まつげ１０の直径より所定値だけ大きく、まつげ１０を通過させられる限界に近い幅であると更に良い。このことは、上部開口１０７を介してまつげ１０を内空１０９に導入した際、まつげ１０が、その弾性に由来する反発力等で内空１０９から脱出してしまう事態を抑制しやすくなる。
【００２１】
こうした溝構造１０６の内空１０９には、まつげ１０と一体になるべく、人工まつげ形成用の液状ないしゲル状の樹脂組成物が注入されることになり、後に、一体に固化下まつげ１０と樹脂組成物とをこの内空１０９から取り出す必要がある。従って、少なくとも溝構造１０６の表面１１０は、上述の樹脂組成物に対する剥離性を備えている。こうした性状を備える溝構造１０６ひいては板状部材１０２の素材としてはシリコンを想定できる。勿論、採用する樹脂組成物の性状に応じて必要な剥離性を発揮し、なおかつ、施術者による施術動作によって変形しすぎない程度に一定以上の強度、剛性を有する素材であればいずれのものでもよい。
【００２２】
なお、上述の支持部材１０４は、図１、図３Ａ、図３Ｂに例示するように、人間の顔面における表面形状にフィットすべく、板状部材１０２の表面１０５から傾斜した当接部１１１を備え、また、この当接部１１１と板状部材１０２の側端１０３（の後端１１２）との間が所定距離だけ離間するよう図った高さｈを備えている。従って、支持部材１０４は三角形状の形態をとる。この支持部材１０４によって、板状部材１０２は、溝構造１０６が設けられた表面１０５を、まつげ１０の発毛箇所直下に密着させた端部１０１を基点に、まつげ１０の発毛方向に沿う角度で施術対象者の顔面から離間させることが出来る。上述の当接部１１１の付近には、施術対象者の顔面にエクステンション施術器１００を固定するための接着具１１７が備わっている。この接着具１１７は、支持部材１０４の下部から水平方向に伸びるものであり、顔面との対向面に粘着材が塗布してある粘着テープである。
【００２３】
また、図３Ａに示すように、板状部材１０２の表面１０５に設けられた溝構造１０６が、直線上に伸びる形状である場合、この溝構造１０６を用いたエクステンションの結果得られるのは、ほぼ直線上に延長されたまつげとなる。一方、人工まつげの先端がカールしていることを望む施術対象者の存在も予想される。そこで、人工まつげの先端をカールさせるべく、図３Ｂに示すように、板状部材１０２の表面１０５に設けられた溝構造１０６が、全体に湾曲する形状である形態も想定すると好適である。
【００２４】
更に、板状部材１０２が、端部１０１から、表面１０５と対をなす裏面１１４の側に所定長延長された、スカート状部材１１５を備えるとすれば好適である。図３Ａ、図３Ｂに示す例では、このスカート状部材１１５の縁には、所定高さの縁取り部１１６が更に備わっており、スカート状部材１１５上に樹脂組成物が流れてきても、この縁取り部１１６が堤となって留め置くことが出来る。或いは、逆に、スカート状部材１１５の外周から、スカート状部材１１５上に樹脂組成物が流れ込もうとしても、この縁取り部１１６が堤となって流入を阻止できる。したがって、例えば、施術対象者の上瞼における、まつげ１０の発毛箇所直下にあたる上瞼の下端付近に、板状部材１０２の端部１０１を密着させ、エクステンション施術を行うとして、この場合、溝構造１０６の内空１０９の樹脂組成物が、板状部材１０２の端部１０１から漏出する事態が生じるとしても、漏出物が眼球等に付着することを防ぐことが出来る。すなわち、上述のスカート状部材１１５が上述の端部１０１と瞼との間を確実に間詰めしつつ、上瞼の下端付近から下瞼の下方にかけて覆っているため、端部１０１から漏出した樹脂組成物は眼球とその周囲へ流下出来ない。
【００２５】
続いて、本実施形態におけるまつげエクステンション施術器１００を用いた、まつげエクステンションの施術方法について説明する。図５は本実施形態のまつげエクステンション施術方法を示すフロー図であり、図６〜図８は本実施形態のまつげエクステンション施術方法の適用状況１〜４を示す概念図である。
【００２６】
ここではまず、まつげエクステンション施術器１００における溝構造１０６の内空１０９に、人工まつげ形成用の液状ないしゲル状の樹脂組成物を注入する（ｓ１００）。この樹脂組成物は、最適には、人工まつげ製造時に用いられる既存の樹脂組成物を想定するが、簡易的にまつげエクステンションを行う場合にはマスカラを採用するとしてもよい。
【００２７】
続いて、図６に例示するように、板状部材１０２における端部１０１を、施術対象者の上瞼１２におけるまつげ１０の発毛箇所１１直下、すなわち上瞼１２の下端１３に密着させる（ｓ１０１）。この工程により、上瞼１２から発毛しているまつげ１０は、板状部材１０２に下支えされ、その表面１０５に載置された状態となる。また、この時、スカート状部材１１５が、上瞼１２の下端１３から、上瞼１２と下瞼１４との合わせ目１５をカバーしつつ、頬１６の付近まで施術対象者の顔面を覆うことになる（図７Ｂ参照）。
【００２８】
こうした状態において施術者は、上述の板状部材１０２において、所定の棒状器具や、まつげ用の櫛等を使用し、溝構造１０６の上部開口１０７にまつげ１０をなでつけ、これにより溝構造１０６の内空１０９にまつげ１０を導入すなわち収容する（ｓ１０２）。図７Ａにて、まつげ１０の少なくとも毛先が溝構造１０６の内空１０９に収容された様子を示している。まつげ１０を収容した内空１０９は、予め注入されていた樹脂組成物がまつげ１０に押されて上述の余裕空間１０８に移動し、まつげ１０の周囲は全周にわたって樹脂組成物に包まれた状態となる。つまり、内空１０９に注入済みの樹脂組成物中にまつげ１０が浸された状態となる（ｓ１０３）。
【００２９】
その後、内空１０９における樹脂組成物が固化するまで待機し、固化に必要な所定時間が経過したならば（ｓ１０４：ｙｅｓ）、まつげ１０は、内空１０９にて固化した樹脂組成物により内包され、溝構造１０６の長さまで延長された状態となる。そこで、図８に示すように、樹脂組成物由来の人工まつげにより延長されたまつげ１０を、溝構造１０６の内空１０９から取り出す（ｓ１０５）。最後に、人工まつげ先端１７を施術対象者の好み、要望等に応じて不要部分をカットし（ｓ１０６）、櫛入れするなどして形を整えた上で施術を完了する。
【００３０】
なお、上述した実施形態では、溝構造１０６の内空１０９に、人工まつげ形成用の液状ないしゲル状の樹脂組成物を注入する工程（ｓ１００）を先に実施した後に、溝構造１０６の内空１０９へのまつげ１０の導入を行う工程（ｓ１０２）を実施する例を示した。しかしながら、溝構造１０６の内空１０９へのまつげ１０の導入を行う工程を先に実施した後に、溝構造１０６の内空１０９に、人工まつげ形成用の液状ないしゲル状の樹脂組成物を注入する工程を実施するとしてもよい。
【００３１】
また、図９Ａ〜図９Ｃの適用状況４に示すように、上まつげ１０だけでなく下まつげ２０に関しても施術する場合、上述のまつげエクステンション施術器１００と同じ構造であり、このまつげエクステンション施術器１００の内空１１８に、収納可能なサイズを備えた、下まつげ用エクステンション施術器２００を用いた施術を行う。この下まつげ用エクステンション施術器２００においても、施術前あるいは溝構造への下まつげ２０の導入後に、上述の樹脂組成物の注入（ｓ１００と同じ）が行われるものとする。
【００３２】
この場合、したまつげ２０を下支えするように、下まつげ用エクステンション施術器２００の板状部材２０２における端部２０１を、施術対象者の下瞼１４における下まつげ２０の発毛箇所直下に密着させ、以降、上まつげ１０の場合と同様に施術を行う（図９Ｂ参照）。下まつげ２０に関するエクステンション施術が完了したならば（或いは、上述のステップｓ１０５まで完了したならば）、その後、下まつげ用エクステンション施術器２００を内空１１８に収容する形で、上述のステップｓ１００以降と同様に、まつげエクステンション施術器１００を上まつげ１０に対して配置し、そのエクステンション施術を行うこととなる。
【００３３】
なお、上述してきた、まつげエクステンション施術方法において、まつげエクステンション施術器の溝構造の形状や長さ、カーブを、施術対象者が希望するまつげの長さ、曲がり具合に応じたものとすれば、最終的に得られる、エクステンション後のまつげは、施術対象者の希望にそった長さとカーブを備えたものとなる。従って、本実施形態のまつげエクステンション施術方法を実行することで、まつげパーマと同じ施術結果を得る事も可能である。
【００３４】
以上、本発明を実施するための最良の形態などについて具体的に説明したが、本発明はこれに限定されるものではなく、その要旨を逸脱しない範囲で種々変更可能である。特に、本発明のまつげエクステンション施術器、およびまつげエクステンション施術方法を、髪の毛のエクステンション施術にそのまま用いることも可能である。
【００３５】
こうした本実施形態によれば、まつげエクステンション施術者の作業負担や作業時間を軽減して、施術の効率化と良好な施術品質を併せて達成可能となる。
【符号の説明】
【００３６】
１０  まつげ（上まつげ）
１１  発毛箇所
１２  上瞼
１３  上瞼下端
１４  下瞼
１５  上下瞼の合わせ目
１６  頬
１７  人工まつげ先端
２０  下まつげ
１００  まつげエクステンション施術器
１０１  端部
１０２  板状部材
１０３  板状部材の側端
１０４  支持部材
１０５  板状部材の表面
１０６  溝構造
１０７  上部開口
１０８  余裕空間
１０９  内空
１１０  溝構造の表面
１１１  当接部
１１２  板状部材側端の後端
１１３  溝構造の後端部分
１１４  板状部材の裏面
１１５  スカート状部材
１１６  縁取り部
１１７  接着具
１１８  施術器内空
２００  下まつげ用エクステンション施術器
【図１】
2014122442.tif 000003
【図２】
2014122442.tif 000004
【図３Ａ】
2014122442.tif 000005
【図３Ｂ】
2014122442.tif 000006
【図４】
2014122442.tif 000007
【図５】
2014122442.tif 000008
【図６】
2014122442.tif 000009
【図７Ａ】
2014122442.tif 000010
【図７Ｂ】
2014122442.tif 000011
【図８】
2014122442.tif 000012
【図９Ａ】
2014122442.tif 000013
【図９Ｂ】
2014122442.tif 000014
【図９Ｃ】
2014122442.tif 000015